(57)【特許請求の範囲】
【請求項１】
外枠の前面に開閉自在に取り付けられる前枠と、
遊技板の下縁に当接する発射レール取付用の発射基板と、
入賞球を集める入賞球集合樋を備え前枠の裏側に取り付けられる機構板と、
前記入賞球集合樋の終端に連設配置され入賞球を一個ずつ検出する入賞球処理装置と、を有し、
前記入賞球処理装置を前記発射基板の裏面に取り付けるようにしたパチンコ機。
【請求項２】
外枠の前面に開閉自在に取り付けられる前枠と、
遊技板の下縁に当接する発射レール取付用の発射基板と、
入賞球を集める入賞球集合樋を備え前枠の裏側に取り付けられる機構板と、
前記入賞球集合樋の終端に連設配置され入賞球を一個ずつ検出する入賞球処理装置と、を有し、
前記入賞球処理装置を前記発射基板に埋設するようにしたパチンコ機。
【請求項３】
前記入賞球集合樋に球出口を開閉する弁部材を設けた請求項１又は２記載のパチンコ機。
【請求項４】
外枠の前面に開閉自在に取り付けられる前枠と、
遊技板の下縁に当接する発射レール取付用の発射基板と、
前記発射基板を除く遊技板取付用の桟枠と、を有し、
前記前枠と桟枠を合成樹脂の一体構造となし、また、前記発射基板を独立した部品として成形し、該発射基板を前枠の下部にネジ止め等の適宜な固定手段で固着するようにした請求項１乃至３の何れか１項に記載のパチンコ機。
【発明の詳細な説明】
【０００１】
【産業上の利用分野】
本発明は、パチンコ機に関するものである。
【０００２】
【従来の技術】
前枠と遊技板取付用の桟枠とを樹脂成型用金型を用いて成型時に一体成形するようにした技術が特公平５−５５１７号に記載されている。この従来技術の桟枠には発射レール取付用の発射基板も含まれており、前枠と発射基板も合成樹脂の一体構造である。
また、従来のパチンコ機は入賞球を処理するための入賞球処理装置が機構板に組み込まれていた。
【０００３】
【発明が解決しようとする課題】
上記従来技術には解決すべき次のような問題点が存在する。
（１）前枠と、発射基板を含む桟枠とを一体成型しようとすると、形状が複雑になるから金型代が高くなる。特に前枠は、関東仕様と関西仕様で横幅が異なるという特殊な事情があるため、金型を二種類作るコストの負担が相当重い。
（２）前記のように金型形状が複雑になると、型抜き作業に手間が掛かるため作業性が悪く、また、製品の不良率も高くなる。
（３）一般に、打球槌、発射モータ、打球力調節バネなどからなる球発射ユニットが前枠裏面に装着されるが、前枠と発射基板が一体になっていると前記球発射ユニットを装着するときに発射基板が邪魔になる。
（４）発射基板には発射レールはもちろん、それ以外にも部品を組み付けなければならないが、従来技術のように前枠と発射基板が一体であると、例えば、発射基板の裏側に部品を取り付けようとした場合に、大きくて重い前枠ごと裏返す必要があるため、作業性が極端に悪い。また、前枠が大きくて嵩張るため、輸送や保管に不便であり、従って、下請けを活用して発射基板への部品の組み付けを行う、というような作業の効率化も図り難い。
（５）前枠と発射基板を一体化すると前枠の重量が重くなるため、前枠への部品の組み付け作業も行い難い。
（６）発射基板には多くの部品が取り付いているから短サイクルで設計変更される可能性が高いが、従来技術では発射基板の一部を変更するのに前枠全体の金型を作り直す必要があるため不経済である。
【０００４】
【課題を解決するための手段】
請求項１に記載したように、外枠の前面に開閉自在に取り付けられる前枠と、遊技板の下縁に当接する発射レール取付用の発射基板と、入賞球を集める入賞球集合樋を備え前枠の裏側に取り付けられる機構板と、その入賞球集合樋の終端に連設配置され入賞球を一個ずつ検出する入賞球処理装置とを有し、前記入賞球処理装置を前記発射基板の裏面に取り付けるようにしたパチンコ機を提供する。
また、請求項２に記載したように、外枠の前面に開閉自在に取り付けられる前枠と、遊技板の下縁に当接する発射レール取付用の発射基板と、入賞球を集める入賞球集合樋を備え前枠の裏側に取り付けられる機構板と、前記入賞球集合樋の終端に連設配置され入賞球を一個ずつ検出する入賞球処理装置とを有し、前記入賞球処理装置を前記発射基板に埋設するようにしたパチンコ機を提供する。
また、請求項３に記載したように、前記入賞球集合樋に球出口を開閉する弁部材を設けた請求項１又は２記載のパチンコ機を提供する。
また、請求項４に記載したように、外枠の前面に開閉自在に取り付けられる前枠と、遊技板の下縁に当接する発射レール取付用の発射基板と、前記発射基板を除く遊技板取付用の桟枠と、を有し、前記前枠と桟枠を合成樹脂の一体構造となし、また、前記発射基板を独立した部品として成形し、該発射基板を前枠の下部にネジ止め等の適宜な固定手段で固着するようにした請求項１乃至３の何れか１項に記載のパチンコ機を提供する。
【０００５】
【作用】
入賞球処理装置を発射基板に設ければ、機構板が軽くなって開閉動作が軽快になり、また、入賞球処理装置が固定部分にあって安定するため、作動の正確性、信頼性が向上する。
また、前枠と桟枠を合成樹脂の一体構造となし、発射基板を独立した部品として成形したため、金型形状が単純になり、それだけ金型を安くすることができ、且つ、型抜き作業が容易になる。
【０００６】
【実施例１】
以下に本発明の実施例１を図１〜図９を参照しつつ説明する。なお、図１は前枠と発射基板の分解斜視図、図２はパチンコ機の裏面図、図３は機構板を外して示すパチンコ機の裏面図、図４はパチンコ機の断面正面図、図５（ａ），（ｂ）は遊技板の取付構造を示す斜視図、図６は機構板の第三ユニットの斜視図、図７は入賞球処理装置の斜視図、図８は入賞球処理装置を示すパチンコ機の要部断面正面図、図９は図８のＺ−Ｚ線断面図である。
パチンコ機Ｐは、四角いリング形状の外枠１と、該外枠１の前面に扉状に開閉自在に取り付けられた前枠２と、その前枠２に装着された遊技板３と、遊技板３と重合する状態で前枠２の裏側に設けられた機構板４と、から概略構成される。
【０００７】
前枠２は、図１に示すように、窓穴５を有する額縁形状であり、裏側にその窓穴５を囲う桟枠６を設けた形態である。前枠２と桟枠６は合成樹脂製であって、樹脂成形用金型を用いて成型時に一体成形される。本実施例のパチンコ機Ｐは、前枠２の表側から遊技板３を着脱する形式を採用したものであって、桟枠６の後面に遊技板３の裏面が当接する内フランジ状の止め片７が下半部の発射領域Ｓ以外の部分に突設されている。桟枠６の発射領域Ｓは、遊技板３の厚さ相当分低く形成されており、該発射領域Ｓに発射レール８取付用の発射基板９が嵌め込まれている。
【０００８】
遊技板３は、ガイドレール１０で円形に囲った遊技領域３ａを表側に有し、該遊技領域３ａに、入賞球受口器１１、風車１２、障害釘１３、アウト球口１４などが設けられ、また、遊技領域３ａ外の下部隅角部に景品球放出口１５が形成されている。一方、遊技板３の裏側には前記遊技領域３ａの入賞球受口器１１に入った入賞球を集めて下方に導く入賞球集合カバー１６が取り付けられている。
また、遊技板３は、図４中右側の側縁上下に、図５（ａ）に示したような受部材１７を有し、図４中左側の側縁上下に図５（ｂ）に示したような雌部材１８を有する。一方、縦の桟枠６の内側には、遊技板３の前記受部材１７に係合する弾性変形可能なフック部材１９と、前記雌部材１８に嵌まる雄部材２０が形成されている。そして、遊技板３を前枠２の表側から入れて先ず桟枠６の雄部材２０に遊技板３の雌部材１８を嵌め、次に桟枠６のフック部材１９に遊技板３の受部材１７を係合させて固定し、フック部材１９を弾性変形させて受部材１７との係合を解除することで遊技板３を前枠２から取り外す。
【０００９】
前記発射基板９は、合成樹脂の成型品であり、周縁沿いに形成したネジ受孔２１に前記桟枠６の発射領域Ｓに突設したネジ筒２２を通して前枠２裏面にネジ止めされ、上面と前記遊技板３の下縁が当接する。この発射基板９には、パチンコ球発射用の発射レール８と、球発射ユニット２３の打球槌２３ａに係合する揺動片２４が取り付けられ、裏側上端縁に前記桟枠６の止め片７と同じフランジ状の止め片７が突設されている。また、発射基板９には図７，図８に示すような入賞球処理装置２５が組み付けられているが、その詳細については後述する。
なお、発射基板９の前記止め片７は遊技板３の位置決めをするためのものであるから、これを省略して発射基板９の形状を単純化するようにしてもよい。
また、遊技板３を前枠２の表側から着脱する構造に代えて遊技板３を前枠２の裏側から着脱する構造を採用した場合には図１二点鎖線に示したようにコーナー飾りＱを発射基板９に一体に設けるようにしてもよい。
また、図示を省略したが発射基板９には、上記した発射レール８や揺動片２４以外にも遊技領域３ａに到達しなかった戻り球を回収する回収樋や、アウト球を機構板４に導くための通路が従来の発射基板と同様に形成されている。
【００１０】
桟枠６の裏面には図２に示すように機構板４が取り付けられている。機構板４は、パチンコ球の流れ順に、球タンク２６、導出樋２７、カーブ樋２８、球放出装置２９、景品球排出樋３０、入賞球集合樋３１があり、さらに球タンク２６と横並びに配置した中継基板３２などで構成される。機構板４は、球タンク２６と導出樋２７と中継基板３２とからなる第一ユニット４Ａと、カーブ樋２８と球放出装置２９とからなる第二ユニット４Ｂと、景品球排出樋３０と入賞球集合樋３１とからなる第三ユニット４Ｃに三分割されており、第一ユニット４Ａが桟枠６上部の取付筒３３ａに固定的にビス止めされ、また、第二ユニット４Ｂが桟枠６中間部の取付筒３３ｂに固定的にビス止めされている。景品球排出樋３０と入賞球集合樋３１の第三ユニット４Ｃは、桟枠６下部に突設した蝶番金具３４に回動自在に取り付けられ、第三ユニット４Ｃ側に取り付けた公知の締付具３５と桟枠６下部に突設したフック金具３６との係合で閉じ状態にロックされている。第一ユニット４Ａ、第二ユニット４Ｂ、第三ユニット４Ｃは総合して逆向きコ字状を呈するように配置されており、その三ユニットで三方が囲われた空間に前記入賞球集合カバー１６が位置し、該入賞球集合カバー１６に入った入賞球が入賞球集合樋３１に落下するよう設定されている。
【００１１】
上記のように機構板４を三部材に分割することにより、従来の一枚構造の機構板に比べて次のような利点がある。
（１）従来の機構板は、パチンコ球が入っている球タンク２６があるために重くて開閉しにくく、また、球タンク２６のパチンコ球を完全に抜き取らなければ機構板の取り外しができない煩わしさがあった。しかし、本実施例は、球タンク２６を設けた第一ユニット４Ａ並びに球タンク２６からのパチンコ球が流入する第二ユニット４Ｂを前枠２に固定し、開閉する必要がある第三ユニット４Ｃのみを第一ユニット４Ａ，第二ユニット４Ｂから切り放して単独で開閉自在に形成するようにしたから、入賞球集合樋３１や入賞球処理装置２５に球詰まりが発生した場合、必要な部分（第三ユニット４Ｃ）だけを軽快に開閉させることができる。また、一々球タンク２６のパチンコ球を抜き取らなくとも第三ユニット４Ｃの着脱ができるから、第三ユニット４Ｃの交換や点検作業が簡単迅速に行える。一方、第一ユニット４Ａや第二ユニット４Ｂは前枠２に固定されているため、安定感に優れる。
（２）機構板４の球放出装置２９や入賞球処理装置２５は、作動の確実性を高めるなどの改良が行われているが、従来は球放出装置２９や入賞球処理装置２５を変更するだけでも機構板４の金型をそっくり作り直す必要があり、多大なコストが掛かっていた。しかし、本実施例は機構板４を三つのユニットに分解したから、例えば球放出装置２９の変更には第二ユニット４Ｂの金型を、また、入賞球処理装置２５の変更には第三ユニット４Ｃの金型を変更すればよく、従って、設計変更のためのコストが飛躍的に節約できる。その結果、入賞球処理装置２５や球放出装置２９の設計変更が短い間隔で行えるようになるから、パチンコ機の性能向上のテンポも加速されることになる。
（３）各ユニット４Ａ，４Ｂ，４Ｃへの組み立てを分業化することができ、作業の効率化を図ることができる。
なお、機構板４の分割態様は実施例に限定されるものではなく、例えば第一ユニット４Ａと第二ユニット４Ｂを一体化するようにしても前記（１）〜（３）の利点がそのまま当てはまる。
【００１２】
入賞球集合樋３１の終端には図７〜図９に示すような入賞球処理装置２５が連設配置されている。この入賞球処理装置２５は、横Ｖ字状の球通路３７を有し、該球通路３７の屈曲部３８に対応して設けた球切り揺動体３９をソレノイド４０で揺動させて入賞球を一個づつ排出処理し、球通路３７の屈曲部３８に設けた通過スイッチ４１で一個づつ入賞球を検出するようにしたものである。従来、入賞球処理装置２５は、機構板４に組み込まれていたが、本実施例では入賞球処理装置２５が発射基板９の裏面に取り付けられている。その構造に対応して第三ユニット４Ｃには入賞球集合樋３１の終端に、図８，図９に示すように入賞球処理装置２５が嵌まる凹部４２と、入賞球集合樋３１の球出口３１ｚを開閉する弁部材４３が設けられている。弁部材４３は前記蝶番金具３４を中心にして第三ユニット４Ｃを開いた場合に、入賞球集合樋３１に貯まっている入賞球を落下させないためのものである。すなわち弁部材４３は、球出口３１ｚの側面に水平回動自在に軸着されていて、弁板下面に入賞球処理装置２５の前面に係合する開放ピン４３ａを有し、また、弁板上面に入賞球集合樋３１の外側に係合するストッパーピン４３ｂを有し、バネやゴム等の弾性体４３ｃで入賞球集合樋３１の球出口３１ｚを塞ぐ向きに付勢してなる。従って、第三ユニット４Ｃを開くと図９二点鎖線のように弾性体４３ｃの付勢で弁部材４３が回動して入賞球集合樋３１の球出口３１ｚが閉まり、逆に第三ユニット４Ｃを閉じると入賞球処理装置２５の前面に開放ピン４３ａが係合して弁部材４３が回動し、入賞球集合樋３１の球出口３１ｚが開く。
なお、図９一点鎖線に示したように弁部材４３の下面に保護板Ｒを設ければ、弁部材４３が搬送途中に損傷する虞がない。また、弁部材４３は言うまでもなくどのような構造であってもよい。
【００１３】
而して、上記のように入賞球処理装置２５を発射基板９に設ければ、第一に第三ユニット４Ｃが軽くなるため開閉動作が軽快になる、第二に入賞球処理装置２５が固定部分にあって安定しているため、作動の正確性、信頼性が向上する、などの効果がある。
【００１４】
その他、第一ユニット４Ａの球タンク２６や導出樋２７、また、第二ユニット４Ｂのカーブ樋２８や球放出装置２９などは従来の部品がそのまま使用されている。
【００１５】
【実施例２】
図１０は実施例２のパチンコ機を示す裏面図である。
この実施例２のパチンコ機Ｐは、第二ユニット４Ｂを細型にして逆コ字状の空間を広くし、入賞球集合カバー１６が機構板４の全ユニット４Ａ，４Ｂ，４Ｃをロックしたままでも着脱できるように設定したものである。また、第三ユニット４Ｃは前記実施例１のような開閉形式に代えて完全な着脱形式にし、回転式の止め具Ｔ，Ｔでロックするようにしてある。
さらにまた、入賞球処理装置２５が発射基板９に埋設されている。このように入賞球処理装置２５を発射基板９に埋設することにより、景品球排出樋３０内への入賞球処理装置２５の出っ張りが無くなるから図２との比較で明らかなように景品球排出樋３０を小型化することができる。また、景品球排出樋３０の形状を従来通りにした場合には入賞球処理装置２５が景品球排出樋３０内に突出しない分パチンコ球の収容量を増やすことができる。
なお、前記した入賞球集合カバー１６には単純な蓋型や、内面に入賞球の流路を一体に形成した流路一体型などがあるが、その構造に限定されるものでないことは言うまでもない。
【００１６】
【実施例３】
図１１は実施例３を示す発射基板９の斜視図である。
この実施例３は発射基板９の内部にオーバーフロー用の球流路４４を設けた点に特徴がある。すなわち、発射基板９に前記コーナー飾りＱと遊技板３の景品球放出口１５Ｕを一体に突設し、該景品球放出口１５Ｕの横にオーバーフロー用の開口４５を設け、該開口４５と下球皿を発射基板９の内部に設けた前記球流路４４で繋ぐようにしたものである。この構成を採用することにより、景品球排出樋３０を小さく軽量化することができ、景品球排出樋３０の構造をシンプルにすることができる。
なお、図１１の発射基板９は単なる一例を示したものであり、それ以外にも種々の構造が考えられる。例えば、
（１）球流路４４を広くしてパチンコ球の収容量を増やす、
（２）図１１の発射基板９は、遊技板３を前枠２の裏側から装着するタイプのパチンコ機に適用するが、コーナー飾りＱを別部品にするか、又は、コーナー飾りＱと景品球放出口１５Ｕを同じ形状に形成し、それに合わせて遊技板３の隅角部を切り欠き、以て遊技板３を前枠２の表側から装着するタイプのパチンコ機に適用させる、
などが考えられる。
【００１７】
以上本発明を実施例１〜３について説明したが、もちろん本発明は上記各実施例に限定されるものではない。
例えば、実施例では発射基板９を前枠２側にネジ止めして固定するようにしたが、両者を接着剤で接着するようにしてもよい。また、一方にフック形状の雄部材を突設し、他方に雌部材を形成し、雄部材と雌部材の係合で両者をワンタッチ式に結合させてもよい。
また、実施例では、桟枠６の発射領域Ｓに発射基板９取付用の段部を形成するようにしたが、発射基板９の前面にスペーサーを突設してそれを前枠２の裏面に直接固着するようにしてもよい。
また、実施例は機構板４を三つのユニットに分割したが、該機構板４は従来の一枚構造であっても差し支えない。
また、言うまでもなく前記入賞球処理装置２５は図示した構造以外にどのようなものであってもよい。
また、リード線の断線防止対策として、桟枠６に凹形状やＵ字形状などリード線挿通用の配線溝を形成するようにしてもよい。この配線溝は開放状でよいが、現在機構板の配線溝に採用されているような着脱式の蓋を被せるようにしてもよい。
また、発射基板９と第三ユニット４Ｃを一体構造にするようにしたり、或いは、発射基板９に球発射ユニット２３を取り付けるようにすることもできる。
【００１８】
【発明の効果】
入賞球処理装置を発射基板に設けるようにしたため、機構板が軽くなって開閉動作が軽快になり、また、入賞球処理装置が固定部分にあって安定するから作動の正確性、信頼性が向上する。
また、請求項２のように入賞球処理装置を発射基板に埋設すれば、機構板の景品球排出樋内への出っ張りが無くなるから景品球排出樋を小型化することができる。或いは、景品球排出樋の形状を従来通りにした場合には景品球排出樋内に入賞球処理装置が突出しない分パチンコ球の収容量が増す。
また、請求項３のように入賞球集合樋に球出口を開閉する弁部材を設けるようにすれば、入賞球集合樋に貯まっている入賞球を落下させずに機構板を開閉することができる。
さらにまた、請求項４に記載のパチンコ機には次のような多くの効果がある。
（１）発射基板を単独成形し、それを前枠と桟枠の一体成型品に固着するようにしたため、個々の金型形状が単純になり、それだけ金型代を安くすることができる。前枠は関東仕様と関西仕様に分けて製造されるため、前枠の金型コスト削減効果は特に大きく、加えて、一種類の発射基板でどちらの前枠にも対応できるため、より金型代を節約することができる。
（２）前記のように金型形状が単純になると、型抜き作業に手間が掛からないから作業性が大幅に向上し、製品の不良率も著しく低下する。
（３）打球槌、発射モータ、打球力調節バネなどからなる球発射ユニットを前枠裏面に装着してから発射基板を固着することができるため、球発射ユニットの装着作業がスムーズに行える。
（４）発射基板に発射レールや他の部品を組み付ける場合に、該発射基板が前枠から独立しているため、自由に向きを変えながら楽に作業することができ、従って作業性が大幅に向上する。また、発射基板は小さく軽量であって輸送や保管が容易であるため、発射基板の組み立て作業に下請けが活用できるなど、作業の効率化が図り易い。
（５）前枠と発射基板が別体であるためその分前枠が軽くなり、前枠への部品の組み付け作業も行い易い。
（６）発射基板には多くの部品が取り付いているから短サイクルで設計変更される可能性が高いが、その場合でも発射基板の金型のみ作り直せばよいため経済的である。
【図面の簡単な説明】
【図１】前枠と発射基板の分解斜視図である。
【図２】パチンコ機の裏面図である。
【図３】機構板を外して示すパチンコ機の裏面図である。
【図４】パチンコ機の断面正面図である。
【図５】（ａ），（ｂ）は遊技板の取付構造を示す斜視図である。
【図６】機構板の第三ユニットの斜視図である。
【図７】入賞球処理装置の斜視図である。
【図８】入賞球処理装置を示すパチンコ機の要部断面正面図である。
【図９】図８のＺ−Ｚ線断面図である。
【図１０】実施例２を示すパチンコ機の裏面図である。
【図１１】実施例３の発射基板の斜視図である。
【符号の説明】
Ｐ    …パチンコ機
１    …外枠
２    …前枠
３    …遊技板
４    …機構板
６    …桟枠
８    …発射レール
９    …発射基板
２５  …入賞球処理装置
３１  …入賞球集合樋
３１ｚ…球出口
４３  …弁部材
【図１】
0003608215.tif 000002
【図２】
0003608215.tif 000003
【図３】
0003608215.tif 000004
【図４】
0003608215.tif 000005
【図５】
0003608215.tif 000006
【図６】
0003608215.tif 000007
【図７】
0003608215.tif 000008
【図８】
0003608215.tif 000009
【図９】
0003608215.tif 000010
【図１０】
0003608215.tif 000011
【図１１】
0003608215.tif 000012